(57)【特許請求の範囲】
【請求項１】
躯体の開口部に固着される金属枠と、該金属枠内に積層され、相互の目地間に充填される結合材によって一体化された複数のガラスブロックとからなるガラスブロックパネルにおいて、
金属枠のガラスブロック載置面と該載置面より下方の室外側の金属枠側面に水抜き孔を設けると共に、前記載置面に形成された水抜き孔を覆い且つ前記載置面の水を該水抜き孔まで案内する排水溝を下面に形成した排水プレートを、複数に分割して前記載置面に敷設したことを特徴とするガラスブロックパネルの排水構造。
【発明の詳細な説明】
【０００１】
【発明の属する技術分野】
本発明は、採光、装飾等を目的として壁材等に使用されるガラスブロックパネルの排水構造に関する。
【０００２】
【従来の技術】
従来のこの種ガラスブロックパネルは、図５〜図６に示すように、構築物の躯体１に形成された開口部に、ステンレス、アルミニウム等の金属材料にて構成された金属枠３を固着し、この金属枠３の内周面の溝部４に、ガラスブロック７を下から順に積み重ね、上下左右の目地部分にモルタル等の結合材８を充填しつつ積層施工して構築している。なお、符号２はポリサルファイド又はシリコ−ン系ゴム等のシ−リング材で、躯体１の開口部と金属枠３の外周との室外側隙間に施工の仕上げ段階で充填される。また、符号６はポリサルファイド又はシリコ−ン系ゴム等のシ−リング材で、金属枠３の内周とガラスブロック７との室内側及び室外側の隙間に施工の仕上げ段階で充填される。さらに、符号５は金属枠３の下辺枠３Ａ内に形成された中空部を示している。
【０００３】
【発明が解決しようとする課題】
通常、雨水がガラスブロックパネル内及び室内に浸入することは、シ−リング材２，６及び防水兼化粧目地等によって遮断されて起きないのであるが、シ−リング材の劣化等の原因により、該パネル内に雨水が侵入すると、金属枠３の下辺枠３Ａの溝部４に溜ることになる。従来、金属枠３の下辺枠３Ａの溝部４には、水抜き孔等の排水構造が設けられておらず、該溝部４に溜まった水は、やがて溢れだして室内に侵入する場合がある。
【０００４】
本発明の目的は、仮に雨水などがガラスブロックパネル内に浸入しても、簡単な構成によって水を室外に確実に排水できるガラスブロックパネルの排水構造を提供することにある。
【０００５】
【課題を解決するための手段】
本発明は、上述の目的を達成するために、躯体の開口部に固着される金属枠と、該金属枠内に積層され、相互の目地間に充填される結合材によって一体化された複数のガラスブロックとからなるガラスブロックパネルにおいて、金属枠のガラスブロック載置面と該載置面より下方の室外側の金属枠側面に水抜き孔を設けると共に、前記載置面に形成された水抜き孔を覆い且つ前記載置面の水を該水抜き孔まで案内する排水溝を下面に形成した排水プレートを、複数に分割して前記載置面に敷設したものである。
【０００６】
上記のように、金属枠のガラスブロック載置面と該載置面より下方の室外側の金属枠側面に水抜き孔を設けておくと、雨水等がガラスブロックパネル内に侵入しても、この水は、金属枠のガラスブロック載置面に集められ、該載置面の水抜き孔を経て該載置面より下方の室外側の金属枠側面の水抜き孔より室外に排水される。更に、上記のように排水プレートを敷設しておくと、金属枠のガラスブロック載置面に形成された水抜き孔が、ガラスブロックの目地間に充填される結合材によって塞がれることを防止できる。そして、雨水等がガラスブロックパネル内に侵入しても、この水は、排水プレートが分割して前記載置面に敷設してあるため、各排水プレート間の隙間から流下して該プレートの下面の排水溝を通って前記載置面の水抜き孔に案内され、該水抜き孔を経て該載置面より下方の室外側の金属枠側面の水抜き孔より室外に確実に排水される。
【０００９】
【発明の実施の形態】
次に、本発明の第１の実施例について図１〜図２を参照して説明する。尚、図５〜図６に示す従来例と同一部分には同一の参照符号を付し、その詳細な説明は省略する。図１〜図２において、１は構築物の躯体、２はシーリング材、３は金属枠、４は溝、５は中空部、６はシーリング材、７はガラスブロック、８は結合材、９及び１０は水抜き孔を示している。
【００１０】
本発明の特徴部分は、金属枠３のガラスブロック載置面となる下辺枠３Ａの溝部４に中空部５に連通する水抜き孔９を形成し、かつ、該載置面よりも下方の下辺枠３Ａの室外側の側面に中空部５に連通する水抜き孔１０を形成したことである。上記下辺枠３Ａの中空部５の底面には、室外側への水抜き孔１０に向けて下り傾斜となる傾斜面５ａを形成してある。
【００１１】
この実施例によれば、仮に雨水が結合材８を通して金属枠３の溝部４に浸入したとしても、水は溝部４の水抜き孔９から中空部５に流れ落ち、下り傾斜の傾斜面５ａに沿って流れ下り、室外側の側面の水抜き孔１０から外部に排水される。このために、下辺枠３Ａの溝部４に水が溜まることはなく、速やかに排水される。従って、結合材８の劣化は勿論のこと、室内側への漏水などの問題も確実に解決できる。
【００１２】
図３〜図４は本発明の第２の実施例を示すものであって、金属枠３のガラスブロック載置面となる下辺枠３Ａの溝部４に、排水プレ−ト１１を複数に分割して敷設したものである。この排水プレ−ト１１の下面（溝部４と対向する面）には排水溝１２が形成してあり、この排水溝１２は溝部４の水抜き孔９と合致して該水抜き孔９を覆うように敷設してある。この排水溝１２は、金属枠３のガラスブロック載置面となる下辺枠３Ａの溝部４に侵入してきた水を、各排水プレート１１、１１間の隙間１３から該プレートの下面へ流下させ、これを水抜き孔９へ案内させるためのもので、一本の他、複数本を並列的に形成することもできるし、その溝の形態も直線状の他、曲線状，格子状など適宜に設定できる。
【００１３】
この実施例によれば、結合材８に浸透した水は、排水プレ−ト１１の間の隙間１３から該プレート１１の下面に流下し、排水溝１２を通って水抜き孔９に案内され、中空部５を経て水抜き孔１０から外部に排水される。このために、金属枠３のガラスブロック載置面に浸入した水を上記実施例に比べて一層効果的に排水できる。
【００１４】
特に、排水プレ−ト１１は溝部４に、水抜き孔９を覆うように敷設しているために、ガラスブロック７の結合材８による水抜き孔９の閉塞を防止できる。従って、排水性を一層改善できる。
【００１５】
【発明の効果】
以上のように、本発明によれば、金属枠のガラスブロック載置面と該載置面より下方の室外側の金属枠側面に水抜き孔を形成してあるために、仮に雨水がシーリング材や結合材を通して金属枠のガラスブロック載置面に浸入したとしても、水は該載置面の水抜き孔から下方に流れ下り、室外側の金属枠側面の水抜き孔から外部に排水される。従って、金属枠のガラスブロック載置面に水が溜まることはなく、速やかに排水され、結合材の劣化などの問題を解消できる。しかも、本発明によれば、金属枠のガラスブロック載置面に形成された水抜き孔を覆い、かつ、前記載置面の水を該水抜き孔まで案内する排水溝を下面に形成した排水プレートを複数に分割して前記載置面に敷設しているために、金属枠のガラスブロック載置面に形成された水抜き孔が、ガラスブロックの目地間に充填される結合材によって塞がれることを防止できる。そして、雨水等がガラスブロックパネル内に侵入しても、この水は、排水プレートが分割して前記載置面に敷設してあるため、各排水プレート間の隙間から流下して該プレートの下面の排水溝を通って前記載置面の水抜き孔に案内され、該水抜き孔を経て該載置面より下方の室外側の金属枠側面の水抜き孔より室外に確実に排水される。
【図面の簡単な説明】
【図１】本発明の第１の実施例を示す破断状態の斜視図。
【図２】図１の側断面図。
【図３】本発明の第２の実施例を示す破断状態の斜視図。
【図４】図３の側断面図。
【図５】従来例を示す破断状態の斜視図。
【図６】図５の側断面図。
【符号の説明】
１  躯体
２，６  シ−リング材
３  金属枠
３Ａ  下辺枠
４  溝部（ガラスブロック載置面）
５  中空部
５ａ  傾斜面
７  ガラスブロック
８  結合材（モルタル）
９，１０  水抜き孔
１１  排水プレ−ト
１２  排水溝
１３  隙間
【図１】
0003682787.tif 000002
【図２】
0003682787.tif 000003
【図３】
0003682787.tif 000004
【図４】
0003682787.tif 000005
【図５】
0003682787.tif 000006
【図６】
0003682787.tif 000007